(57)【要約】【課題】高温での焼付き寿命が良好で、且つ流動性の良いグリースを使用できる、低コスト且つ長寿命なアイドラプーリ用軸受を提供する。【解決手段】外周面に巻き掛けられたベルトに所望の張力を付与するプーリ部材２に取り付け可能なアイドラプーリ用軸受１０では、シール部材１５を構成する弾性材２２は、内輪１２の両端部外周面に形成されたシール溝１２ｂの内側壁面１２ｃに軸方向に締め代を持って摺接する主リップ２３と、主リップ２３より径方向外方に設けられてシール溝１２ｂの内側壁面１２ｃ及び内輪１２の外周面１２ｄにそれぞれ近接させてラビリンスシールを形成する２つの副リップ２４，２５を有する。玉１３が配置される空間内には、４０℃において基油の動粘度が３０〜６０ｍｍ２／ｓｅｃのウレア−合成油系グリースが封入される。【選択図】図２
2008121764.tif 000002
【特許請求の範囲】
【請求項１】
内周面に外輪軌道面を有する外輪と、外周面に内輪軌道面を有する内輪と、前記外輪軌道面及び前記内輪軌道面間に転動自在に配置される複数の転動体と、該複数の転動体を保持するポケット部を有する冠型保持器と、前記外輪の両端部内周面に取り付けられて、前記転動体が設けられた空間内を密封する一対のシール部材と、を備え、外周面に巻き掛けられるベルトに所望の張力を付与するプーリ部材に取り付け可能なアイドラプーリ用軸受であって、
前記シール部材を構成する弾性材は、前記内輪の両端部外周面に形成されたシール溝の内側壁面に軸方向に締め代を持って摺接する主リップと、該主リップより径方向外方に設けられて前記シール溝の内側壁面及び前記内輪の外周面にそれぞれ近接させてラビリンスシールを形成する２つの副リップを有し、
前記空間内には、４０℃において基油の動粘度が３０〜６０ｍｍ２／ｓｅｃのウレア−合成油系グリースが封入されることを特徴とするアイドラプーリ用軸受。
【発明の詳細な説明】
【技術分野】
【０００１】
本発明は、アイドラプーリ用軸受に関し、より詳細には、自動車用エンジンの補機或はカムシャフトを駆動するためのベルト或はタイミングベルト（以下、単に「ベルト」とする。）に、所望の張力を付与するためのアイドラプーリに組み込まれるアイドラプーリ用軸受に関する。
【背景技術】
【０００２】
例えば、オルタネータ等の自動車用補機は、エンジンを駆動源とし、エンジンのクランク軸に固定された駆動プーリ、自動車用補機の回転軸に固定された従動プーリ、及びアイドラプーリにベルトが巻き掛けられて駆動される。アイドラプーリは、支持軸に転がり軸受を介して支持されており、ベルトに所望の張力を付与しながらベルトと共に回転する。
【０００３】
また、自動車は近年の小型軽量化や居住空間拡大等の要望により、自動車用補機の小型軽量化、高速化がより一層進められており、それに伴ってアイドラプーリも小型化、高速化することになる。更に、静粛性向上の要望によりエンジンルームの密閉化が進み、エンジンルーム内の高温化が促進されるため、アイドラプーリも高温で使用される。加えて、これらの部品はエンジンルームの下部に取り付けられていることが多いため、路面からの水、泥水、塵埃、などの異物が周囲に飛散する劣悪な環境で用いられる場合が多い。従って、アイドラプーリ用軸受には、耐環境、耐高温、長寿命、静粛性等の特性が要求される。
【０００４】
このようなアイドラプーリに用いられる従来の転がり軸受としては、フッ素系グリースと、フッ素系グリース以外のグリースとの混合グリースを封入したものが知られており、１８０℃を越える高温での焼付き寿命、低温流動性及び防錆性の改善を図っている（例えば、特許文献１参照。）。
【０００５】
また、自動車用電装品等に使用される従来の転がり軸受としては、外輪と内輪との間にシール板を配置して外部環境からの粉塵や水などの異物侵入防止を図ったものが開示されており、シール溝の内側壁面に締め代を持って当接するシールリップを備え、該シールリップの先端縁部に切り欠きを設けて、空間内部の空気の給排を行なっている（例えば、特許文献２参照。）。
【特許文献１】特開２００３−２３９９９７号公報
【特許文献２】特開２００１−２８９２５６号公報
【発明の開示】
【発明が解決しようとする課題】
【０００６】
ところで、アイドラプーリ用軸受を長寿命化するためには、高温での焼付き寿命が良好で、且つ流動性の良いグリースを封入する必要がある。しかしながら、流動性の良いグリースは、軸受内部から漏れやすく、長期間の使用により潤滑に必要なグリースが不足してしまう可能性がある。特許文献１に記載の転がり軸受では、グリースの漏れについて考慮されておらず、また、フッ素系グリースはコストアップの要因となる。
【０００７】
本発明は、上記のような事情に鑑みてなされたものであり、その目的は、高温での焼付き寿命が良好で、且つ流動性の良いグリースを使用できる、低コスト且つ長寿命なアイドラプーリ用軸受を提供することにある。
【課題を解決するための手段】
【０００８】
本発明の上記目的は、下記の構成により達成される。
（１）  内周面に外輪軌道面を有する外輪と、外周面に内輪軌道面を有する内輪と、前記外輪軌道面及び前記内輪軌道面間に転動自在に配置される複数の転動体と、該複数の転動体を保持するポケット部を有する冠型保持器と、前記外輪の両端部内周面に取り付けられて、前記転動体が設けられた空間内を密封する一対のシール部材と、を備え、外周面に巻き掛けられるベルトに所望の張力を付与するプーリ部材に取り付け可能なアイドラプーリ用軸受であって、
前記シール部材を構成する弾性材は、前記内輪の両端部外周面に形成されたシール溝の内側壁面に軸方向に締め代を持って摺接する主リップと、該主リップより径方向外方に設けられて前記シール溝の内側壁面及び前記内輪の外周面にそれぞれ近接させてラビリンスシールを形成する２つの副リップを有し、
前記空間内には、４０℃において基油の動粘度が３０〜６０ｍｍ２／ｓｅｃのウレア−合成油系グリースが封入されることを特徴とするアイドラプーリ用軸受。
【発明の効果】
【０００９】
本発明のアイドラプーリ用軸受によれば、転動体が設けられた空間内に４０℃において基油の動粘度が３０〜６０ｍｍ２／ｓｅｃのウレア−合成油系グリースが封入されることで、耐熱性を有し、経時硬化し難く、且つ流動性が良いグリースが使用される。また、シール部材を構成する弾性材は、内輪の両端部外周面に形成されたシール溝の内側壁面に軸方向に締め代を持って摺接する主リップと、主リップより径方向外方に設けられてシール溝の内側壁面及び内輪の外周面にそれぞれ近接させてラビリンスシールを形成する２つの副リップを有するので、長期に亘ってグリースの密封性を確保することができる。これにより、本発明のアイドラプーリ用軸受は、高温での焼付き寿命を向上でき、且つ流動性の良いグリースを長期に亘って使用することができ、低コストで且つ長寿命なものとなる。
【発明を実施するための最良の形態】
【００１０】
以下、本発明の一実施形態に係るアイドラプーリ用軸受を図面に基づいて詳細に説明する。
【００１１】
図１は本発明のアイドラプーリ用軸受が組み込まれたアイドラプーリの要部縦断面図である。アイドラプーリ１は、図示しない支持軸に外嵌される玉軸受１０と、玉軸受１０に射出成形により固設された合成樹脂製のプーリ部材２とを備える。プーリ部材２には、外周面にベルト溝３が形成され、図示しないベルトが巻き掛けられており、アイドラプーリ１は、自動車の補機等を駆動するベルトに所望の張力を付与している。
【００１２】
図２に示すように、玉軸受１０は、内周面に外輪軌道面１１ａを有する外輪１１と、外周面に内輪軌道面１２ａを有する内輪１２と、外輪軌道面１１ａと内輪軌道面１２ａ間に転動自在に配置される転動体である複数の玉１３と、を備えており、プーリ部材２は、玉軸受１０を介して支持軸に回転可能に支持される。
【００１３】
また、玉軸受１０は、各玉１３を回転自在に保持するポケット部１６を有する冠型保持器１４と、外輪１１の両端部内周面に形成された係止溝１１ｂに取り付けられ、玉１３が設けられた環状空間Ｓ内を密封する一対のシール部材１５と、をさらに備える。なお、符号１１ｃは、プーリ部材２と外輪１１との滑りを防止するための偏心溝である。
【００１４】
シール部材１５は、図２に示すように、鋼板等の金属板からなる円環状の芯金２１と、ゴム等の弾性材料からなり芯金２１に固着される弾性材２２と、を有する。弾性材２２は、芯金２１の外周縁よりも径方向外方に僅かに突出して形成された外周縁部２２ａを有しており、この外周縁部２２ａを係止溝１１ｂに係止することでシール部材１５を外輪１１に固定する。
【００１５】
弾性材２２は、芯金２１の内周縁よりも径方向内方に突出し、図３に示すように、この突出した部分の先端縁は、内輪１２の両端部外周面に形成したシール溝１２ｂの内側壁面１２ｃに軸方向に締め代をもって摺接する主リップ２３を構成する。また、主リップ２３より径方向外方部分には、シール溝１２ｂの内周壁面１２ｃ及び内輪１２の外周面１２ｄにそれぞれ近接させてラビリンスシールを構成する２つの副リップ２４，２５が軸方向内方に突出して設けられる。
【００１６】
内輪１２のシール溝１２ｂの深さ、即ち、シール溝１２ｂの底部から内輪１２の外周面１２ｄまでの高さＨは、玉径の２０％以上に設定されている。主リップ２３は、この高さＨを有する内側壁面１２ｃと締め代を持って摺接しており、締め代が外輪回転数の上昇と共に増加することから、実使用回転領域で有効な締め代となるように形成されている。
【００１７】
これにより、一対のシール部材１５は、玉１３が配置される環状空間Ｓを密封し、環状空間Ｓに封入されたグリースの漏れを防止すると共に、外部からの塵埃等の浸入を防止している。
【００１８】
また、主リップ２３の先端縁部には、締め代が大きくなると内側壁面１２ｃに当接し、且つ、締め代が小さくなると内側壁面１２ｃに当接しない位置に、切り欠き２３ａが形成されており、環状空間Ｓの空気を給排自在とし、該環状空間Ｓの圧力変動を防止する。
【００１９】
この玉軸受１３に使用されるグリースとしては、耐熱性を有し、経時硬化し難く、且つ流動性に優れた、基油の動粘度が４０℃において３０〜６０ｍｍ２／ｓｅｃのウレア−合成油系グリースが選択されている。これにより、高温での焼付き寿命が向上し、且つ低温での潤滑性が確保される。
【００２０】
合成油系潤滑油としては、炭化水素系油、芳香族系油、エステル系油、エーテル系油等が挙げられる。炭化水素系油としては、ノルマルパラフィン、イソパラフィン、ポリブテン、ポリイソブチレン、１−デセンオリゴマー、１−デセンとエチレンコオリゴマーなどのポリ−α−オレフィンまたはこれらの水素化物等が挙げられる。芳香族系油としては、モノアルキルベンゼン、ジアルキルベンゼンなどのアルキルベンゼン、あるいはモノアルキルナフタレン、ジアルキルナフタレン、ポリアルキルナフタレン等のアルキルナフタレン等が挙げられる。エステル系油としては、ジブチルセバケート、ジ−２−エチルヘキシルセバケート、ジオクチルアジペート、ジイソデシルアジペート、ジトリデシルアジペート、ジトリデシルグルタレート、メチル・アセチルシノレートなどのジエステル油、あるいはトリオクチルトリメリテート、トリデシルトリメリテート、テトラオクチルピロメリテート等の芳香族エステル油、更にはトリメチロールプロパンカプリレート、トリメチロールプロパンペラルゴネート、ペンタエリスリトール−２−エチルヘキサノエート、ペンタエリスリトールベラルゴネート等のポリオールエステル油、更にはまた、多価アルコールと二塩基酸・一塩基酸の混合脂肪酸とのオリゴエステルであるコンプレックスエステル油等が挙げられる。エーテル系油としては、ポリエチレングリコール、ポリプロピレングリコール、ポリエチレングリコールモノエーテル、ポリプロピレングリコールモノエーテル等のポリグリコール、あるいはモノアルキルトリフェニルエーテル、アルキルジフェニルエーテル、ジアルキルジフェニルエーテル、ペンタフェニルエーテル、テトラフェニルエーテル、モノアルキルテトラフェニルエーテル、ジアルキルテトラフェニルエーテル等のフェニルエーテル油等が挙げられる。これらの基油は、単独または混合物として用いることができ、上述した動粘度に調整される。また、基油は、合成油系潤滑油を部分的に含んだものであってもよい。
【００２１】
ウレア系グリースの増ちょう剤としては、ジウレア化合物、トリウレア化合物、テトラウレア化合物、ポリウレア化合物、またはこれらの混合物が挙げられる。これらの増ちょう剤は、単独または混合物として用いることができる。
【００２２】
このように構成された玉軸受１０では、環状空間Ｓ内に、基油の動粘度が４０℃において３０〜６０ｍｍ２／ｓｅｃのウレア−合成油系グリースが封入されるので、グリースは耐熱性を有し、経時硬化し難く、且つ流動性の良いものとなり、高温での焼付き寿命を向上できると共に、低温での起動性にも優れたものとなる。
【００２３】
また、一対のシール部材１５は、内輪１２のシール溝１２ｂの内側壁面１２ｃに締め代をもって摺接する主リップ２３と、シール溝１２ｂの内周壁面１２ｃ及び内輪１２の外周面１２ｄにそれぞれ近接させてラビリンスシールを構成する２つの副リップ２４，２５を有する３重の高密封シールとしたので、上記の流動性の良いグリースであっても環状空間Ｓ内に長期間に亘って確実に保持することができる。特に、本実施形態では、内輪１２のシール溝１２ｂの深さが玉径の２０％以上に設定されているので、シール部材１５の密封性をより向上することができる。
【００２４】
尚、本発明は、前述した実施形態に限定されるものではなく、適宜、変形、改良等が可能である。
本実施形態では、本発明のアイドラプーリ用軸受である玉軸受１０は、樹脂製のプーリ部材に取り付けられているが、鉄製のプーリ部材に圧入固定されるものであってもよい。例えば、図４の変形例に示すように、プレス成形されたプーリ部材２ａに取り付けられてもよく、図５の他の変形例に示すように、削り加工によって幅広に形成されたプーリ部材２ｂに一対の玉軸受１０が取り付けられてもよい。但し、これら鉄製のプーリ部材２ａ，２ｂに玉軸受１０が取り付けられる場合には、図２に示した外輪１１の偏心溝１１ｃは不要である。
【実施例】
【００２５】
以下、本発明の効果を確認するため、耐久試験、グリース漏れ試験、水浸入試験について、本発明の玉軸受と従来構造の玉軸受とで比較試験を行った。
【００２６】
（耐久試験）
本試験は、図２に示す単列深溝玉軸受(呼び番号６２０３、外径４０ｍｍ、内径１７ｍｍ、幅１２ｍｍ)を使用し、本発明のウレア−合成油系グリースを用いた実施例１と、現行グリースを用いた比較例１とで行なわれた。その他の試験条件は、以下のものとした。
・回転数：１２０００ｒｐｍ×２０ｈ
０ｒｐｍ×４ｈ
・ラジアル荷重：１９１１Ｎ
・温度：１３５℃
【００２７】
図６に示す試験結果から、本発明のウレア−合成油系グリースを使用することで、略１．５〜２倍軸受寿命が延びていることが分かる。
【００２８】
（グリース漏れ試験）
本試験では、いずれも呼び番号６２０３の単列深溝玉軸受を使用し、図３に示すシール部材１５を設けたものを実施例２とし、図７に示す二つのシールリップ２６，２７を持ったシール部材１５´を有するものを比較例２とした。その他の試験条件は、以下のものとする。
・回転数：０⇔１４０００ｒｐｍ
・ラジアル荷重：１４７０Ｎ
・温度：１２０℃
・試験時間：２０時間
【００２９】
図８に示すように、実施例２のグリース漏れ量は比較例２のものに比べて略１／５に減少しており、本発明に係るシール部材１５のグリース保持性能が優れていることが分かる。
【００３０】
（浸水試験）
本試験では、いずれも内径２０ｍｍの複列軸受を使用し、図３に示すシール部材１５を設けたものを実施例３とし、図７に示すシール部材１５´を有するものを比較例３とした。その他の試験条件は、以下のものとする。
・回転数：２０００ｒｐｍ
・ラジアル荷重：２００Ｎ
・試験時間：１時間
・浸水状態：各玉軸受を軸受中心から１０ｍｍ上まで浸水
【００３１】
図９に示すように、実施例３の浸水量は２つのシールリップ２６，２７を有する比較例３と比べて略１／１０に減少しており、３重のシールリップ２３，２４，２５を有する本発明のシール部材１５の有効性が確認された。
【図面の簡単な説明】
【００３２】
【図１】本発明のアイドラプーリ用軸受が組み込まれたアイドラプーリの一実施形態の縦断面図である。
【図２】本発明のアイドラプーリ用軸受の縦断面図である。
【図３】図２に示すアイドラプーリ用軸受のシール部材の要部拡大断面図である。
【図４】アイドラプーリの変形例の要部縦断面図である。
【図５】アイドラプーリの他の変形例の要部縦断面図である。
【図６】実施例１と比較例１に係る軸受の耐久試験結果を示すグラフである。
【図７】グリース漏れ試験及び浸水試験の比較例２，３に使用されるシール部材を示す要部断面図である。
【図８】実施例２と比較例２に係る軸受のグリース漏れ量を示すグラフである。
【図９】実施例３と比較例３に係る軸受の浸水量を示すグラフである。
【符号の説明】
【００３３】
１０  玉軸受（アイドラプーリ用軸受）
１１  外輪
１１ａ  外輪軌道面
１２  内輪
１２ａ  内輪軌道面
１２ｂ  シール溝
１２ｃ  内側壁面
１２ｄ  外周面
１３  玉（転動体）
１４  冠型保持器
１５  シール部材
１６  ポケット部
２２  弾性材
２３  主リップ
２４，２５  副リップ
Ｓ  環状空間（空間）
【図１】
2008121764.tif 000003
【図２】
2008121764.tif 000004
【図３】
2008121764.tif 000005
【図４】
2008121764.tif 000006
【図５】
2008121764.tif 000007
【図６】
2008121764.tif 000008
【図７】
2008121764.tif 000009
【図８】
2008121764.tif 000010
【図９】
2008121764.tif 000011